(57)【要約】【課題】  音質を変化させることができる鍵盤楽器を提供する。【解決手段】  楽器ケース１内に配置された鍵盤部７の後方に位置して楽器ケース１内に配置されたスピーカ１０と、鍵盤部７を開閉可能に覆う鍵盤蓋１３と、この鍵盤蓋１３を鍵盤部７とスピーカ１０との間にガイドする蓋ガイド部１４と、楽器ケース１内を鍵盤側空間Ｋ１とスピーカ側空間Ｋ２とに仕切り、かつその両方の空間Ｋ１、Ｋ２の間を塞ぐ位置に鍵盤蓋１３を位置規制する第１規制部３０と、鍵盤蓋１３を鍵盤部７側に移動させて第１、第２の放音路３２、３３を形成する第２規制部３１と、を備えている。従って、鍵盤蓋１３が鍵盤側空間Ｋ１とスピーカ側空間Ｋ２との間を仕切って塞ぐことにより、スピーカ側空間Ｋ２を音響空間として形成して音質を高めることができ、鍵盤蓋１３が第１、第２の放音路３２、３３を形成することにより、音質を変えることができる。【選択図】        図３
2014163969.tif 000002
【特許請求の範囲】
【請求項１】
前部側が上方に開放された楽器ケースと、
この楽器ケース内に配置され、当該楽器ケースの前部上側に露呈された鍵盤部と、
この鍵盤部の後方に位置し、前記楽器ケース内に配置されたスピーカと、
前記鍵盤部を開閉可能に覆う鍵盤蓋と、
前記鍵盤蓋が前記鍵盤部と前記スピーカとの間に配置された際に、前記楽器ケース内を鍵盤側空間とスピーカ側空間とに仕切る位置に前記鍵盤蓋を位置規制すると共に、当該鍵盤蓋と共にその両方の空間の間を塞ぐ位置に設けられた第１規制部と、
前記第１規制部により位置規制された前記鍵盤蓋を前記鍵盤部側に移動させた際に、前記鍵盤部を上側に開放した状態でかつ前記両方の空間の間に放音路が形成される位置に、前記鍵盤蓋を位置規制する第２規制部と、
を備えていることを特徴とする鍵盤楽器。
【請求項２】
請求項１に記載の鍵盤楽器において、前記第１規制部は、前記鍵盤蓋が前記鍵盤部と前記スピーカとの間に配置された際に、前記鍵盤蓋の後端部が上方から当接する下部規制部と、前記鍵盤蓋の上側後面が前側から当接する上部当接部とを備えており、
前記第２規制部は、前記第１規制部で位置規制された前記鍵盤蓋を前記鍵盤部側に移動させた際に、前記下部規制部に対する前記鍵盤蓋の後端部および前記上部当接部に対する前記鍵盤蓋の上側後面のうち、少なくとも一方を離間させた状態で、前記鍵盤蓋を位置規制して、前記放音路を形成することを特徴とする鍵盤楽器。
【請求項３】
請求項１または請求項２に記載の鍵盤楽器において、前記鍵盤蓋は、複数の蓋部が折り曲げ可能に連結されていることを特徴とする鍵盤楽器。
【請求項４】
請求項３に記載の鍵盤楽器において、前記鍵盤蓋が前記鍵盤部を上側に開放した際に、前記鍵盤蓋を前記鍵盤部と前記スピーカとの間に配置させるようにガイドする蓋ガイド部をさらに備え、
前記蓋ガイド部は、前記鍵盤蓋が前記鍵盤部の上側に配置された際に前記複数の蓋部を平板状に配置させ、かつ前記鍵盤蓋が前記鍵盤部を上側に開放した際に、前記複数の蓋部を折り曲げ、この折り曲げられて後部側に位置する蓋部を前記鍵盤部と前記スピーカとの間に配置させることを特徴とする鍵盤楽器。
【請求項５】
請求項１または請求項２に記載の鍵盤楽器において、前記鍵盤蓋は、１枚の平板で形成されていることを特徴とする鍵盤楽器。
【請求項６】
請求項５に記載の鍵盤楽器において、前記鍵盤蓋が前記鍵盤部を上側に開放した際に、前記鍵盤蓋を前記鍵盤部と前記スピーカとの間に配置させるようにガイドする蓋ガイド部をさらに備え、
前記蓋ガイド部は、前記鍵盤蓋の前部を前後方向にガイドするガイドレール部と、前記鍵盤蓋の後部を上下方向にガイドして前記鍵盤部と前記スピーカとの間にガイドするガイド部材とを備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子鍵盤楽器においては、特許文献１に記載されているように、前部側が上方に開放された楽器ケース内に鍵盤部を設けると共に、この鍵盤部を覆う鍵盤蓋を開閉可能に設け、鍵盤部の後方に位置する楽器ケース内にスピーカを下向きに取り付け、このスピーカで発生した音のうち、高音側の音を楽器ケースの下側に放音すると共に、低音側の音を楽器ケース内から楽器ケースの前側に向けて放音するように構成されたものが知られている。
【先行技術文献】
【特許文献】
【０００３】
【特許文献１】特開２０１０−２８６６３３号公報
【０００４】
このような電子鍵盤楽器は、鍵盤蓋に多数の小孔からなる放音部を設け、この放音部から低音側の音を楽器ケースの前側に向けて放音するように構成されている。また、この電子鍵盤楽器は、鍵盤部が、楽器ケース内に配置された鍵盤シャーシと、この鍵盤シャーシ上に上下方向に回転可能な状態で並列に配列された複数の鍵とを備え、これら複数の鍵の各隙間を通してスピーカの音を楽器ケースの前側に向けて放音するように構成されている。
【発明の概要】
【発明が解決しようとする課題】
【０００５】
しかしながら、このような電子鍵盤楽器では、スピーカで発生した音のうち、高音側の音が楽器ケースの下側に放音されると共に、低音側の音が楽器ケース内から楽器ケースの前側に向けて放音されるため、楽器ケースから放音される音が常にフラットな状態の音質となり、低音側の音質を高めることができないという問題がある。
【０００６】
また、低音側の音質を高めるために、楽器ケース内を鍵盤蓋によってスピーカ側の空間と鍵盤部側の空間とに仕切り、かつその両方の空間の間を鍵盤蓋で塞いで独立させるように構成された電子鍵盤楽器も開発されている。しかし、このような電子鍵盤楽器では、スピーカ側の独立した音響空間によって低音側の音質を高めることができても、低音側の音を楽器ケースの前側に向けて放音することができないため、今度はフラットな状態の音質が得られないという問題が生じる。
【０００７】
この発明が解決しようとする課題は、鍵盤蓋の規制位置を変えるだけで、音質を変化させることができる鍵盤楽器を提供することである。
【課題を解決するための手段】
【０００８】
この発明は、前部側が上方に開放された楽器ケースと、この楽器ケース内に配置され、当該楽器ケースの前部上側に露呈された鍵盤部と、この鍵盤部の後方に位置し、前記楽器ケース内に配置されたスピーカと、前記鍵盤部を開閉可能に覆う鍵盤蓋と、前記鍵盤蓋が前記鍵盤部と前記スピーカとの間に配置された際に、前記楽器ケース内を鍵盤側空間とスピーカ側空間とに仕切る位置に前記鍵盤蓋を位置規制すると共に、当該鍵盤蓋と共にその両方の空間の間を塞ぐ位置に設けられた第１規制部と、前記第１規制部により位置規制された前記鍵盤蓋を前記鍵盤部側に移動させた際に、前記鍵盤部を上側に開放した状態でかつ前記両方の空間の間に放音路が形成される位置に、前記鍵盤蓋を位置規制する第２規制部と、を備えていることを特徴とする鍵盤楽器である。
【発明の効果】
【０００９】
この発明によれば、鍵盤蓋を鍵盤部とスピーカとの間に配置した際に、第１規制部によって鍵盤蓋を位置規制して鍵盤側空間とスピーカ側空間との間を仕切って塞ぐことができるので、スピーカ側空間を音響空間として形成することができ、これにより音質を高めることができる。また、鍵盤側空間とスピーカ側空間との間を仕切った状態の鍵盤蓋を鍵盤部側に移動させて第２規制部によって位置規制すると、放音路を形成することができるので、この放音路によって音質を変えることができる。このため、第１規制部と第２規制部とによって鍵盤蓋の規制位置を変えるだけで、音質を変化させることができる。
【図面の簡単な説明】
【００１０】
【図１】この発明を電子鍵盤楽器に適用した第１実施形態において、鍵盤蓋を閉じた状態を示した断面図である。
【図２】図１に示された電子鍵盤楽器において、鍵盤蓋を開いて楽器ケース内を鍵盤側空間とスピーカ側空間とに仕切った状態を示した断面図である。
【図３】図２に示された電子鍵盤楽器において、鍵盤蓋を前側に移動させて鍵盤蓋の上側と下側とにそれぞれ第１放音路と第２放音路とを形成した状態を示した断面図である。
【図４】この発明を電子鍵盤楽器に適用した第２実施形態において、鍵盤蓋を閉じた状態を示した断面図である。
【図５】図４に示された電子鍵盤楽器において、鍵盤蓋を開いて楽器ケース内を鍵盤側空間とスピーカ側空間とに仕切った状態を示した断面図である。
【図６】図５に示された電子鍵盤楽器において、鍵盤蓋を前側に移動させて鍵盤蓋の上側に放音路を形成した状態を示した断面図である。
【発明を実施するための形態】
【００１１】
（第１実施形態）
以下、図１〜図３を参照して、この発明を電子鍵盤楽器に適用した第１実施形態について説明する。
この電子鍵盤楽器は、図１〜図３に示すように、楽器ケース１を備えている。この楽器ケース１は、前側上部（図１では左側上部）が開放された横長のほぼ箱形状に形成されている。
【００１２】
すなわち、この楽器ケース１は、図１〜図３に示すように、底板２と、この底板２の前端部（図１では左端部）に起立して設けられた前板３と、底板２の後端部（図１では右端部）に起立して設けられた後板４と、底板２の左右両側部（図１では紙面の表裏面の両側部）に起立して設けられた一対の側板５と、この一対の側板５の後側上部および後板４の上部に配置された天板６とを備えている。
【００１３】
この場合、前板３は、図１〜図３に示すように、後板４の高さのほぼ半分程度の高さで形成されている。また、一対の側板５は、その前端部が前板３よりも少し高く形成され、前後方向（図１では左右方向）におけるほぼ中間部から後部側が後板４と同じ高さで形成され、前端部から中間部に向けて後部上がりに傾斜する傾斜部に形成されている。これにより、楽器ケース１は、一対の側板５の各傾斜部に対応する前部側が上方に開放された横長のほぼ箱形状に形成されている。
【００１４】
この楽器ケース１内には、図１〜図３に示すように、鍵盤部７が設けられている。この鍵盤部７は、楽器ケース１の底板２上に配置された鍵盤シャーシ８と、この鍵盤シャーシ８上に上下方向に回転可能な状態で並列に配列された複数の鍵９とを備えている。この鍵盤部７は、図２および図３に示すように、複数の鍵９が楽器ケース１の前部側から上方に露呈した状態で、押鍵操作されるように構成されている。
【００１５】
また、楽器ケース１内には、図１〜図３に示すように、スピーカ１０が鍵盤部７の後方に位置した状態で下向きに配置されている。このスピーカ１０は、鍵盤部７の各鍵９が押鍵操作された際に、その各鍵９に応じた音高の楽音を発生するように構成されている。この場合、楽器ケース１の底板２には、スピーカ１０の音を楽器ケース１の下側に向けて放音する放音孔（図示せず）が設けられている。また、この楽器ケース１内には、コンソールパネル１２が鍵盤部７の後部に位置する上側から天板６の前部の下側に向けて傾斜して設けられている。
【００１６】
一方、この楽器ケース１内には、図１〜図３に示すように、鍵盤部７の上側を覆う鍵盤蓋１３が蓋ガイド部１４によって開閉可能に設けられている。この鍵盤蓋１３は、前蓋１５と後蓋１６とを有し、この前蓋１５と後蓋１６とが蝶番１７によって折り曲げ可能に連結され、この状態で楽器ケース１内に収納される際に、前蓋１５と後蓋１６とが蝶番１７で折れ曲がって収納されるように構成されている。
【００１７】
この場合、前蓋１５の前端部には、図１〜図３に示すように、一対の側板５の各内面に向けてそれぞれ突出するガイド軸１５ａが支持脚１５ｂを介して設けられている。また、後蓋１６の前端部には、一対の側板５の各内面に向けてそれぞれ突出するガイド軸１６ａが支持脚１６ｂを介して設けられている。この後蓋１６の後端部には、後述する軸取付板１６ｃが取り付けられている。
【００１８】
蓋ガイド部１４は、図１〜図３に示すように、鍵盤蓋１３が鍵盤部７の上側を覆った際に前蓋１５と後蓋１６とをほぼ平板状に配置し、かつ鍵盤蓋１３が鍵盤部７を上側に開放した際に前蓋１５と後蓋１６とを蝶番１７で折り曲げ、この折り曲げられた後蓋１６を鍵盤部７の後部とスピーカ１０との間に配置させるように構成されている。
【００１９】
すなわち、この蓋ガイド部１４は、図１〜図３に示すように、ガイドレール部１８とガイド部材１９とを有している。ガイドレール部１８は、一対の側板５の内面に前板３の上側から、コンソールパネル１２の上側を経て、天板６の前後方向におけるほぼ中間部の下側に対応する箇所に向けて斜め上方に傾斜して設けられている。このガイドレール部１８は、前蓋１５のガイド軸１５ａと後蓋１６のガイド軸１６ａとをそれぞれ前後方向にガイドするように構成されている。
【００２０】
これにより、ガイドレール部１８は、図１に示すように、前蓋１５と後蓋１６とが鍵盤部７の上側を覆った際に、前蓋１５と後蓋１６とを前下りに傾斜させた状態で平板状に配置するように構成されている。この場合、ガイドレール部１８のほぼ中間部には、前蓋１５と後蓋１６とが鍵盤部７の上側を覆った際に、後蓋１６のガイド軸１６ａを位置規制する凹部１８ａが設けられている。
【００２１】
ガイド部材１９は、図１〜図３に示すように、鍵盤部７の後端部の上部付近に位置する箇所の側板５の内面に設けられた支持軸２０と、この支持軸２０に回転自在に取り付けられたアーム部２１と、このアーム部２１の端部と後蓋１６の軸取付板１６ｃとを回転可能に連結する連結軸２２とを備えている。この場合、アーム部２１の中間部にはガイド軸２３が設けられており、このガイド軸２３にはピニオンギア２４が回転可能に取り付けられている。
【００２２】
すなわち、アーム部２１のガイド軸２３は、図１〜図３に示すように、一対の側板５の内面に設けられたガイド板２５のガイド溝２６に沿って上下方向に円弧を描きながらガイドされるように構成されている。このガイド溝２６は、支持軸２０を中心とする半円弧状をなしてガイド板２５に設けられている。
【００２３】
また、ガイド軸２３のピニオンギア２４は、図１〜図３に示すように、ガイド板２５のガイド歯車２７に噛み合って回転しながら、上下方向に円弧を描いて移動するように構成されている。このガイド歯車２７も、ガイド軸２３と同様、支持軸２０を中心とする半円弧状をなしてガイド板２５に設けられている。
【００２４】
これにより、蓋ガイド部１４は、図１に示すように、鍵盤蓋１３の前蓋１５と後蓋１６とが鍵盤部７の上側を覆って閉じた際に、前蓋１５のガイド軸１５ａをガイドレール部１８の前端部に位置させ、後蓋１６のガイド軸１６ａをガイドレール部１８の凹部１８ａに位置させ、かつ後蓋１６の後端部に位置する連結軸２２をガイド部材１９のアーム部２１によってガイドレール部１８とほぼ同じ高さに位置させることにより、前蓋１５と後蓋１６とを前下がりに傾斜させた状態で平板状に配置するように構成されている。
【００２５】
この場合、蓋ガイド部１４は、図１に示すように、アーム部２１が支持軸２０を中心に反時計回りに回転して起立し、これと同時にガイド軸２３がガイド板２５のガイド溝２６に沿って下側から上側に向けて移動すると共に、ピニオンギア２４がガイド板２５のガイド歯車２７に噛み合って回転しながら下側から上側に向けて移動することにより、後蓋１６の後端部の連結軸２２を押し上げるように構成されている。
【００２６】
また、この蓋ガイド部１４は、図２に示すように、鍵盤蓋１３が開いて鍵盤部７を上側に開放した際に、前蓋１５のガイド軸１５ａをコンソールパネル１２の上方、つまり天板６の前端下側に位置するガイドレール部１８の箇所に位置させ、後蓋１６のガイド軸１６ａをガイドレール部１８の後端部に位置させることにより、前板１５を天板６の下側に配置させ、かつ前蓋１５に対して後蓋１６を蝶番１７で折り曲げて、後蓋１６の後端部に位置する連結軸２２をガイド部材１９のアーム部２１によって引き下げることにより、後蓋１６を鍵盤部７の後部とスピーカ１０との間に配置させるように構成されている。
【００２７】
この場合、蓋ガイド部１４は、図２に示すように、アーム部２１が支持軸２０を中心に時計回りに回転して垂下し、これと同時にガイド軸２３がガイド板２５のガイド溝２６に沿って上側から下側に向けて移動すると共に、ピニオンギア２４がガイド板２５のガイド歯車２７に噛み合って回転しながら上側から下側に向けて移動することにより、後蓋１６の後端部の連結軸２２を引き下げるように構成されている。
【００２８】
ところで、楽器ケース１内には、図１〜図３に示すように、鍵盤蓋１３の後蓋１６が鍵盤部７の後部とスピーカ１０との間に配置された際に、楽器ケース１内を鍵盤側空間Ｋ１とスピーカ側空間Ｋ２とに仕切り、かつその両方の空間Ｋ１、Ｋ２の間を塞ぐ位置に鍵盤蓋１３の後蓋１６を位置規制する第１規制部３０と、この第１規制部３０で位置規制された鍵盤蓋１３を鍵盤部７側に移動させた位置に規制して、第１、第２の放音路３２、３３を形成する第２規制部３１とが設けられている。
【００２９】
第１規制部３０は、図１〜図３に示すように、楽器ケース１の底板２における鍵盤部７の後部とスピーカ１０との間に位置する箇所に起立して設けられた下部規制部３０ａと、楽器ケース１の天板６の下面における鍵盤部７の後部とスピーカ１０との間に位置する箇所に垂下して設けられた上部当接部３０ｂとを備えている。この場合、下部規制部３０ａは、上部当接部３０ｂよりも楽器ケース１の前側に位置がずれた状態で設けられている。
【００３０】
下部規制部３０ａは、図１〜図３に示すように、その上端面にゴムなどの緩衝材３４が設けられ、この緩衝材３４に鍵盤蓋１３の後蓋１６の後端部（図２では下端部）が上方から当接するように構成されている。上部規制部３０ｂは、その前面下部（図２では左側面の下部）にゴムなどの緩衝材３４が設けられ、この緩衝材３４に鍵盤蓋１３の後蓋１６の前側上面（図２では上側後面）が当接するように構成されている。
【００３１】
これにより、第１規制部３０は、図２に示すように、後蓋１６の後端部（図２では下端部）が下部規制部３０ａの上端面の緩衝材３４に上方から当接し、後蓋１６の前側上面（図２では上側後面）が上部規制部３０ｂの前面の緩衝材３４に前側から当接することにより、後蓋１６が鍵盤側空間Ｋ１とスピーカ側空間Ｋ２との間を仕切って塞ぐように構成されている。この場合、スピーカ側空間Ｋ２は、後蓋１６によって下部当接部３０ａと上部当接部３０ｂとの間が塞がれることにより、独立した音響空間として楽器ケース１内の後部側に形成される。
【００３２】
また、第２規制部３１は、図３に示すように、蓋ガイド部１４のガイドレール部１８に設けられた位置規制用の凹部であり、第１規制部３０で位置規制された鍵盤蓋１３を鍵盤部７の前側に向けて移動させた際に、前蓋１５の前部に設けられたガイド軸１５ａを位置規制して、鍵盤蓋１３の上側と下側とに第１、第２の各放音路３２、３３を形成するように構成されている。
【００３３】
すなわち、この第２規制部３１は、図３に示すように、前蓋１５の前部に設けられたガイド軸１５ａが落ち込んで、前蓋１５を位置規制した際に、鍵盤蓋１３の後蓋１６のガイド軸１６ａがガイドレール部１８の後端部から前側に移動して、後蓋１６の前側上面（図３では上側後面）が上部当接部３０ｂから前側に離れることにより、鍵盤蓋１３の上側に第１放音路３２を形成するように構成されている。
【００３４】
また、この第２規制部３１は、図３に示すように、前蓋１５のガイド軸１５ａが落ち込んで、前蓋１５を位置規制した際に、鍵盤蓋１３の後蓋１６がガイド軸１６ａの移動に伴って引き上げられ、この引き上げられた後蓋１６の後端部（図３では下端部）が下部当接部３０ａから上方に離れることにより、鍵盤蓋１３の下側に第２放音路３３を形成するように構成されている。
【００３５】
この場合、鍵盤蓋１３の上側に位置する第１放音路３２は、図３に示すように、後蓋１６と上部当接部３０ｂとの間に形成された隙間と、前蓋１５の上面と天板６の下面との間に形成された隙間とによって形成され、これによりスピーカ１０で発生した音のうち、楽器ケース１のスピーカ側空間Ｋ２内の音を楽器ケース１内の上側から楽器ケース１の前側に向けて放音させるように構成されている。
【００３６】
また、鍵盤蓋１３の下側に位置する第２放音路３３は、図３に示すように、後蓋１６の後端部と下部当接部３０ａとの間に形成された隙間と、鍵盤部７の複数の鍵７の各隙間とによって形成され、これによりスピーカ１０で発生した音のうち、楽器ケース１のスピーカ側空間Ｋ２内の音を楽器ケース１内の下側から楽器ケース１の前側に向けて放音させるように構成されている。
【００３７】
この場合、第２規制部３１は、図１〜図３に示すように、鍵盤蓋１３の後蓋１６のガイド軸１６ａおよび前蓋１５のガイド軸１５ａを蓋ガイド部１３のガイドレール部１８でガイドしながら、鍵盤蓋１３を楽器ケース１内に収納する際に、図２に示すように、後蓋１６のガイド軸１６ａおよび前蓋１５のガイド軸１５ａを位置規制することなく鍵盤蓋１３の閉じ動作に伴う鍵盤蓋１３の慣性力によって通過させるように構成されている。
【００３８】
次に、このような電子鍵盤楽器の作用について説明する。
この電子鍵盤楽器で演奏をする場合には、まず、鍵盤蓋１３を開いて鍵盤部７を上側に開放させる。このときには、前蓋１５の前端部を持ち上げて後方に向けて移動させると、前蓋１５のガイド軸１５ａと後蓋１６のガイド軸１６ａがガイドレール部１８に沿って後方に向けて移動すると共に、アーム部２１が支持軸２０を中心に時計回りに回転して、後蓋１６の連結軸２２が上側から下側に向けて移動する。
【００３９】
このときには、アーム部２１の回転に伴ってガイド軸２３がガイド溝部２６に沿って上側から下側に向けて移動すると共に、ピニオンギア２４がガイド歯車部２７に噛み合って回転しながら上側から下側に向けて移動する。これにより、鍵盤蓋１３は、前蓋１５と後蓋１６とが蝶番１７で徐々に折れ曲がり、この折れ曲がった後蓋１６が鍵盤部７の後部とスピーカ１０との間に向けて移動する。
【００４０】
そして、前蓋１５のガイド軸１５ａが第２規制部３１を通過してコンソールパネル１２の上方に位置するガイドレール部１８の箇所に位置し、後蓋１６のガイド軸１６ａがガイドレール部１８の後端部に位置し、この後蓋１６の後端部に位置する連結軸２２がアーム部２１の回転に伴って下端部に位置すると、後蓋１６の後端部である下端部が第１規制部３０の下部当接部３０ａ上に緩衝材３４を介して当接すると共に、後蓋１６の前部上面である上側後面が第１規制部３０の上部当接部３０ｂの前面に緩衝材３４を介して当接する。
【００４１】
このときには、アーム部２１の回転に伴ってガイド軸２３がガイド溝部２６の下端部に位置すると共に、ピニオンギア２４がガイド歯車部２７の下端部に位置し、後蓋１６が前蓋１５に対してほぼ９０度の角度に折れ曲がって、鍵盤部７の後部とスピーカ１０との間に配置され、この後蓋１６が第１規制部３０の下部当接部３０ａと上部当接部３０ｂとの間を仕切って塞ぐ。
【００４２】
これにより、楽器ケース１内が後蓋１６によって鍵盤部側空間Ｋ１とスピーカ側空間Ｋ２とに仕切られ、このスピーカ側空間Ｋ２が楽器ケース１内に音響空間として形成される。この状態では、鍵盤部７が上方に開放されて複数の鍵９が上側に露呈するので、演奏が可能な状態になる。この状態で、楽器ケース１の前部側から上側に露呈した鍵盤部７の複数の鍵９を押鍵操作して演奏すると、その押鍵操作に応じた音高の楽音をスピーカ１０が発生する。
【００４３】
このスピーカ１０で発生した楽音のうち、高音側の音は、楽器ケース１の底板２に設けられた放音孔（図示せず）から楽器ケース１の下側に向けて放音される。また、低音側の音は、楽器ケース１のスピーカ側空間Ｋ２内に放音される。この低音側の音は、下部当接部３０ａと上部当接部３０ｂとの間が後蓋１６で塞がれてスピーカ側空間Ｋ２が音響空間になっているので、このスピーカ側空間Ｋ２内で音質が高められる。
【００４４】
また、スピーカ１０で発生した音の音質を変える場合には、第１規制部３０で位置規制された鍵盤蓋１３の前蓋１５を鍵盤部７の前側に向けて移動させて、図３に示すように、前蓋１５の前部に設けられたガイド軸１５ａを第２規制部３１によって位置規制する。このときには、前蓋１５のガイド軸１５ａが第２規制部３１の凹部に落ち込んで前蓋１５が位置規制されると、後蓋１６のガイド軸１６ａがガイドレール部１８の後端部から前側に向けて移動すると共に、後蓋１６がガイド軸１６ａの移動に伴って引き上げられる。
【００４５】
これにより、図３に示すように、鍵盤蓋１３の後蓋１６のガイド軸１６ａがガイドレール部１８の後端部から前側に移動して、後蓋１６の前側上面である上側後面が上部当接部３０ｂから前側に離れるので、鍵盤蓋１３の上側に第１放音路３２が形成される。これと同時に、後蓋１６の後端部である下端部が下部当接部３０ａから上方に離れるので、鍵盤蓋１３の下側に第２放音路３３が形成される。
【００４６】
この状態で、楽器ケース１の前部側から上側に露呈した鍵盤部７の複数の鍵９を押鍵操作して演奏すると、その押鍵操作に応じた音高の楽音をスピーカ１０が発生する。このスピーカ１０で発生した楽音のうち、高音側の音は、楽器ケース１の下側に向けて放音される。また、低音側の音は、楽器ケース１のスピーカ側空間Ｋ２内に放音される。このスピーカ側空間Ｋ２内に放音された低音側の音は、第１放音路３２と第２放音路３３とを通して楽器ケース１の前側に向けて放音されるので、音質がフラットな状態の音質に変化する。
【００４７】
すなわち、第１放音路３２は、後蓋１６と上部当接部３０ｂとの間に形成された隙間と、前蓋１５の上面と天板６の下面との間に形成された隙間とによって、鍵盤蓋１３の上側に形成されているので、スピーカ側空間Ｋ２内の音を楽器ケース１内の上側から楽器ケース１の前側に向けて放音させる。
【００４８】
また、第２放音路３３は、後蓋１６の後端部と下部当接部３０ａとの間に形成された隙間と、鍵盤部７の複数の鍵７の各隙間とによって、鍵盤蓋１３の下側に形成されているので、スピーカ側空間Ｋ２内の音を楽器ケース１内の下側から楽器ケース１の前側に向けて放音させる。これにより、スピーカ側空間Ｋ２内の音質がフラットな状態の音質に変化して放音される。
【００４９】
一方、演奏をないときには、鍵盤蓋１３を閉じて鍵盤部７を覆う。このときには、鍵盤蓋１３の前蓋１５の前端部を第２規制部３１の規制力に抗して楽器ケース１の前側に向けて引き出す。すると、前蓋１５のガイド軸１５ａと後蓋１６のガイド軸１６ａがガイドレール部１８に沿って前側に移動し、後蓋１６の連結軸２２がガイド部材１９のアーム部２１によって押し上げられる。
【００５０】
すなわち、ガイド部材１９のアーム部２１は、支持軸２０を中心に反時計回りに回転して、後蓋１６の連結軸２２を押し上げる。このときには、ガイド軸２３がガイド溝部２５に沿って下側から上側に向けて移動すると共に、ピニオンギア２４がガイド歯車部２６に噛み合って下側から上側に向けて移動しながら、前蓋１５と後蓋１６とが蝶番１７で徐々に折れ曲がって楽器ケース１の前側に向けて移動する。
【００５１】
そして、前蓋１５のガイド軸１５ａが楽器ケース１の前板３上に位置するガイドレール部１８の前端部に位置し、後蓋１６のガイド軸１６ａがガイドレール部１８の中間部の凹部１８ａに位置し、この後蓋１６の後端部に位置する連結軸２２がガイド溝部２３の上端部に位置し、かつピニオンギア１６ｃがガイド歯車部２４の上端部に位置すると、前蓋１５と後蓋１６とが前下がりに傾斜した状態で平板状に配置される。これにより、鍵盤部７が前蓋１５と後蓋１６とによって覆われる。
【００５２】
このように、この電子鍵盤楽器によれば、楽器ケース１内に配置された鍵盤部７と、この鍵盤部７の後方に位置して楽器ケース１内に配置されたスピーカ１０と、鍵盤部７を開閉可能に覆う鍵盤蓋１３と、この鍵盤蓋１３を鍵盤部７とスピーカ１０との間にガイドする蓋ガイド部１４と、楽器ケース１内を鍵盤側空間Ｋ１とスピーカ側空間Ｋ２とに仕切り、かつその両方の空間Ｋ１、Ｋ２の間を塞ぐ位置に鍵盤蓋１３を位置規制する第１規制部３０と、この第１規制部３０で位置規制された鍵盤蓋１３を鍵盤部７側に移動させた位置に規制して第１、第２の放音路３２、３３を形成する第２規制部３１と、を備えていることにより、鍵盤蓋１３の規制位置を変えるだけで、スピーカ側空間Ｋ２の音質を向上させ、かつその音質を選択的に変化させることができる。
【００５３】
すなわち、この電子鍵盤楽器では、鍵盤蓋１３の後蓋１６を鍵盤部７とスピーカ１０との間に配置した際に、第１規制部３０によって鍵盤蓋１３が位置規制され、この位置規制された鍵盤蓋１３によって楽器ケース１内を鍵盤側空間Ｋ１とスピーカ側空間Ｋ２とに仕切り、かつその両方の空間Ｋ１、Ｋ２の間を塞ぐことができるので、スピーカ側空間Ｋ２を楽器ケース１内に音響空間として形成することができ、これによりスピーカ側空間Ｋ２で音質を高めることができる。
【００５４】
また、この電子鍵盤楽器では、第１規制部３０によって鍵盤側空間Ｋ１とスピーカ側空間Ｋ２との間を仕切った状態の鍵盤蓋１３を鍵盤部７側に移動させた際に、第２規制部３１によって鍵盤蓋１３を位置規制して第１、第２の放音路３２、３３を形成することができるので、この第１、第２の放音路３２、３３を通してスピーカ側空間Ｋ２内の音を楽器ケース１内から楽器ケース１の前側に向けて放音させることができ、これにより音質をフラットな状態の音質に変えることができる。
【００５５】
このため、この電子鍵盤楽器によれば、第１規制部３０と第２規制部３１とによって鍵盤蓋１３の規制位置を変えるだけで、スピーカ側空間Ｋ２を楽器ケース１内の音響空間として形成して音質を向上させることができ、かつ楽器ケース１内に第１、第２の放音路３２、３３を形成して、スピーカ側空間Ｋ２内の音を楽器ケース１の前側に向けて放音させることができるので、簡単に音質を変化させることができる。
【００５６】
この場合、第１規制部３０は、楽器ケース１の底板２に起立して設けられて、鍵盤蓋１３の後端部である下端部が上方から当接する下部規制部３０ａと、楽器ケース１の天板６の下面に垂下して設けられて、鍵盤蓋１３の前側上面である上側後面が当接する上部当接部３０ｂとを備えているので、第１規制部３０によって鍵盤蓋１３を位置規制することにより、楽器ケース１内を鍵盤側空間Ｋ１とスピーカ側空間Ｋ２とに仕切って、その両方の空間Ｋ１、Ｋ２の間を確実にかつ良好に塞ぐことができる。
【００５７】
また、第２規制部３１は、蓋ガイド部１４に設けられて、第１規制部３０で位置規制された鍵盤蓋１３を鍵盤部７側に移動させて、鍵盤蓋１３を下部当接部３０ａと上部当接部３０ｂとからそれぞれ離間させた状態で、鍵盤蓋１３の前部を位置規制することにより、第１、第２の放音路３２、３３を形成することができるので、第１、第２の放音路３２、３３によってスピーカ側空間Ｋ２内の音を楽器ケース１の前側に向けて放音させることができ、これにより音質を確実にかつ良好に変えることができる。
【００５８】
さらに、この電子鍵盤楽器では、鍵盤蓋１３が前蓋１５と後蓋１６とを有し、この前蓋１５と後蓋１６とが蝶番１７によって折り曲げ可能に連結されていることにより、前蓋１５と後蓋１６とを蝶番１７で折り曲げて展開することにより、鍵盤部７を確実にかつ良好に覆うことができ、また鍵盤蓋１３を楽器ケース１内に収納する際に、前蓋１５と後蓋１６とを蝶番１７で折り曲げて、楽器ケース１内にコンパクトに収納することができるので、楽器ケース１全体をコンパクトに構成することができる。
【００５９】
この場合、蓋ガイド部１４は、鍵盤蓋１３が鍵盤部７の上側に配置された際に前蓋１５と後蓋１６とを蝶番１７で折り曲げて平板状に配置させ、かつ鍵盤蓋１３が鍵盤部７を上側に開放した際に、前蓋１５と後蓋１６とを蝶番１７で折り曲げ、この折り曲げられた後蓋１６を鍵盤部７とスピーカ１０との間に配置させることにより、鍵盤蓋１３を円滑にガイドすることができると共に、後蓋１６を鍵盤部７とスピーカ１０との間に確実に配置させて、スピーカ側空間Ｋ２を音響空間として良好に形成することができる。
【００６０】
すなわち、蓋ガイド部１４は、ガイドレール部１８とガイド部材１９とを有し、このガイドレール部１８は、一対の側板５の内面に前板３の上側から天板６の中間部の下側に向けて斜め上方に傾斜して設けられて、前蓋１５のガイド軸１５ａと後蓋１６のガイド軸１６ａとをそれぞれ前後方向にガイドし、ガイド部材１９は、鍵盤部７の後端部の上部付近に位置する箇所の側板５の内面に設けられた支持軸２０を中心にアーム部２１が上下方向に回転して後蓋１６の軸取付板１６ｃの連結軸２２を上下方向にガイドする構成であるから、前蓋１５と後蓋１６とを折り曲げながら、鍵盤蓋１３を円滑にガイドすることができる。
【００６１】
これにより、後蓋１６は、蓋ガイド部１４によってガイドされて、鍵盤部７とスピーカ１０との間に配置された際に、後蓋１６の後端部を上方から下部規制部３０ａに確実に当接させることができると共に、後蓋１６の前側上面である上側後面を上部当接部３０ｂに確実に当接させることができるので、下部規制部３０ａと上部当接部３０ｂとを確実に塞いで、鍵盤側空間Ｋ１とスピーカ側空間Ｋ２との間を良好に仕切って塞ぐことができ、これによりスピーカ側空間Ｋ２を楽器ケース１内に音響空間として良好に形成することができる。
【００６２】
また、この後蓋１６は、蓋ガイド部１４によってガイドされて、第１規制部３０で位置規制された鍵盤蓋１３を鍵盤部７側に移動させ、第２規制部３１によって前蓋１５を位置規制した際に、後蓋１６の後端部である下端部を下部規制部３０ａから上方に確実に離間させることができると共に、後蓋１６の前側上面である上側後面を上部当接部３０ｂから前側に向けて確実に離間させることができる。
【００６３】
このため、後蓋１６は、第２規制部３１によって後蓋１６の上側と下側とにそれぞれ第１放音路３２と第２放音路３３とを確実に形成することができるので、第１放音路３２と第２放音路３３とを通してスピーカ側空間Ｋ２内の音を楽器ケース１の前側に向けて確実にかつ良好に放音させることができ、これによりスピーカ側空間Ｋ２内の音質を変化させることができる。
【００６４】
（第２実施形態）
次に、図４〜図６を参照して、この発明を電子鍵盤楽器に適用した第２実施形態について説明する。なお、図１〜図３に示された第１実施形態と同一部分には同一符号を付して説明する。
この電子鍵盤楽器は、図４〜図６に示すように、鍵盤蓋４０と蓋ガイド部４１とが第１実施形態と異なる構成であり、これ以外は第１実施形態とほぼ同じ構成になっている。
【００６５】
すなわち、鍵盤蓋４０は、図４〜図６に示すように、鍵盤部７の上方に配置されて鍵盤部７を覆う大きさの１枚の平板で形成されている。この鍵盤蓋４０の前端部には、一対の側板５の各内面に向けてそれぞれ突出する前側ガイド軸４２が支持部４３を介して取り付けられている。また、この鍵盤蓋４０の後端部の両側には、取付板４４がそれぞれ設けられている。
【００６６】
蓋ガイド部４１は、図４〜図６に示すように、鍵盤蓋４０が鍵盤部７の上側を覆った際に鍵盤蓋４０を前下がりに傾斜させた状態で配置させ、かつ鍵盤蓋４０が鍵盤部７を上側に開放した際に鍵盤蓋４０を鍵盤部７の後部とスピーカ１０との間に配置させるように構成されている。この場合にも、蓋ガイド部４１は、ガイドレール部４５とガイド部材４６とを有している。
【００６７】
ガイドレール部４５は、図４〜図６に示すように、一対の側板５の内面に前板３の上側から天板６の下側に向けて斜め上方に傾斜して設けられ、鍵盤蓋４０の前側ガイド軸４２を前後方向に傾斜させながらガイドするように構成されている。これにより、ガイドレール部４５は、図４に示すように、鍵盤蓋４０が鍵盤部７の上側を覆った際に、前側ガイド軸４２がガイドレール部４５の前端部に位置し、図５に示すように、鍵盤蓋４０が鍵盤部７の上側を開放した際に、前側ガイド軸４２がガイドレール部４５の後端部に位置するように構成されている。
【００６８】
ガイド部材４６は、図４〜図６に示すように、鍵盤蓋４０の後端部の取付板４４に回転可能に取り付けられた後側ガイド軸４７と、この後側ガイド軸４７に取り付けられたピニオンギア４８と、一対の側板５の内面に設けられて後側ガイド軸４７およびピニオンギア４８を上下方向にガイドするガイド板４９とを備えている。このガイド板４９は、コンソールパネル１２の上側から鍵盤部７の後部とスピーカ１０の間に位置する下部に向けて後部下がりに傾斜して配置されている。
【００６９】
この場合、ガイド板４９は、図４〜図６に示すように、その上部側が少し湾曲した形状に形成されている。また、このガイド板４９には、鍵盤蓋４０の後端部に位置する後側ガイド軸４７を上下方向にガイドするガイド溝５０と、後側ガイド軸４７に取り付けられたピニオンギア４８が噛合った状態でピニオンギア４８を上下方向にガイドするラックギア５１とを備えている。
【００７０】
これにより、蓋ガイド部４１は、図４に示すように、鍵盤蓋４０が鍵盤部７の上側を覆って閉じた際に、鍵盤蓋４０の前側ガイド軸４２をガイドレール部４５の前端部に位置させ、鍵盤蓋４０の後側ガイド軸４７をガイド板４９のガイド溝５０の上端部に位置させると共に、後側ガイド軸４７のピニオンギア４８をガイド板４９のラックギア５１の上端部に位置させることにより、鍵盤蓋４０を前下がりに傾斜させた状態で平板状に配置するように構成されている。
【００７１】
また、この蓋ガイド部４１は、図５に示すように、鍵盤蓋４０が開いて鍵盤部７を上側に開放した際に、鍵盤蓋４０の前側ガイド軸４２をガイドレール部４５の後端部に位置させ、鍵盤蓋４０の後側ガイド軸４７をガイド板４９のガイド溝５０の下端部に位置させると共に、後側ガイド軸４７のピニオンギア４８をガイド板４９のラックギア５１の下端部に位置させることにより、鍵盤蓋４０を鍵盤部７の後部とスピーカ１０との間に傾斜させた状態で起立させるように構成されている。
【００７２】
この場合にも、楽器ケース１内には、図５および図６に示すように、鍵盤蓋４０が鍵盤部７とスピーカ１０との間に配置された際に、楽器ケース１内を鍵盤側空間Ｋ１とスピーカ側空間Ｋ２とに仕切り、かつその両方の空間Ｋ１、Ｋ２の間を塞ぐ位置に鍵盤蓋４０を位置規制する第１規制部５２と、この第１規制部５２で位置規制された鍵盤蓋４０を鍵盤部７側に移動させた位置に規制して放音路５４を形成する第２規制部５３とが設けられている。
【００７３】
第１規制部５２は、図５および図６に示すように、楽器ケース１の底板２における鍵盤部７の後部とスピーカ１０との間に位置する箇所に起立して設けられた下部規制部５２ａと、楽器ケース１の天板６の下面における鍵盤部７の後部とスピーカ１０との間に位置する箇所に垂下して設けられた上部当接部５２ｂと、鍵盤蓋４０の前側ガイド軸４２を位置規制する規制突起部５２ｃとを備えている。この場合、下部規制部５２ａは、上部当接部５２ｂよりも楽器ケース１の後部側に位置がずれた状態で設けられている。
【００７４】
下部規制部５２ａは、第１実施形態と同様、その上端面にゴムなどの緩衝材３４が設けられ、この緩衝材３４に鍵盤蓋４０の後端部（図５では下端部）が上方から当接するように構成されている。上部規制部５２ｂは、その前面下部にゴムなどの緩衝材３４が設けられ、この緩衝材３４に鍵盤蓋４０の前側上面（図５では上側後面）が当接するように構成されている。規制突起部５２ｃは、ガイドレール部４５の上端部に設けられて、鍵盤蓋４０を傾斜させた状態で前側ガイド軸４２を位置規制するように構成されている。
【００７５】
これにより、第１規制部５２は、図５に示すように、鍵盤蓋４０の後端部が下部規制部５２ａの上端面の緩衝材３４に上方から当接し、鍵盤蓋４０の前側上面である上側後面が上部規制部５２ｂの緩衝材３４に前側から当接し、この状態で規制突起部５２ｃに前側ガイド軸４２が位置規制されることにより、鍵盤蓋４０が鍵盤側空間Ｋ１とスピーカ側空間Ｋ２との間を仕切って塞ぐように構成されている。この場合、スピーカ側空間Ｋ２は、鍵盤蓋４０によって下部当接部５２ａと上部当接部５２ｂとの間が塞がれることにより、独立した音響空間として楽器ケース１内に形成される。
【００７６】
また、第２規制部５３は、図６に示すように、蓋ガイド部４１のガイドレール部４５に設けられた位置規制用の緩やかな傾斜部であり、第１規制部５２の規制突起部５２ｃで前側ガイド軸４２が位置規制された鍵盤蓋４０を鍵盤部７側に向けて移動させて前側ガイド軸４２が規制突起部５２ｃを乗り越えた際に、鍵盤蓋４０の前部ガイド軸４２を位置規制して、鍵盤蓋４０の上側に放音路５４を形成するように構成されている。
【００７７】
すなわち、この第２規制部５３は、図６に示すように、第１規制部５２の規制突起部５２ｃを乗り越えた鍵盤蓋４０の前側ガイド軸４２を位置規制用の緩やかな傾斜部で位置規制することにより、鍵盤蓋４０の上部側が前側に移動して鍵盤蓋４０が前側に傾き、鍵盤蓋４０の前側上面（図６では上側後面）が上部当接部５２ｂから前側に離れることにより、鍵盤蓋４０の上側に放音路５４を形成するように構成されている。
【００７８】
この場合、鍵盤蓋４０の上側に形成された放音路５４は、図６に示すように、鍵盤蓋４０と上部当接部５２ｂとの間に形成された隙間と、鍵盤蓋４０と天板６の下面との間に形成された隙間とによって形成され、これによりスピーカ１０で発生した音のうち、楽器ケース１のスピーカ側空間Ｋ２内の音を楽器ケース１内の上側から前側に向けて放音させることにより、音質を変えるように構成されている。
【００７９】
次に、このような電子鍵盤楽器の作用について説明する。
この電子鍵盤楽器で演奏をする場合には、まず、鍵盤蓋４０を開いて鍵盤部７を上側に開放させる。このときには、鍵盤蓋４０の前端部を持ち上げて後方に向けて移動させると、前側ガイド軸４２がガイドレール部４５に沿って後方に移動し、かつ鍵盤蓋４０の後端部の後側ガイド軸４７がガイド板４９のガイド溝部５０に沿って上側から下側に向けて移動すると共に、ピニオンギア４８がラックギア５１に噛み合って回転しながら上側から下側に向けて移動する。これにより、鍵盤蓋４０は鍵盤部７とスピーカ１０との間に向けて移動する。
【００８０】
そして、鍵盤蓋４０の前側ガイド軸４２がガイドレール部４５の第２規制部５３を通過した後、第１規制部５２の規制突起部５２ｃを乗り越えて位置規制されると、鍵盤蓋４０の後端部に位置する後側ガイド軸４７がガイド板４９のガイド溝部５０の下端部に位置すると共に、ピニオンギア４８がラックギア５１の下端部に位置し、鍵盤蓋４０の後端部である下端部が第１規制部５２の下部当接部５２ａ上に緩衝材３４を介して当接すると共に、鍵盤蓋４０の前部上面である上側後面が第１規制部５２の上部当接部５２ｂの前面に緩衝材３４を介して当接する。
【００８１】
このときには、鍵盤蓋４０が前側に傾いた状態で、鍵盤部７の後部とスピーカ１０との間に傾斜して起立し、この鍵盤蓋４０が第１規制部５２の下部当接部５２ａと上部当接部５２ｂとの間を塞ぐ。これにより、楽器ケース１内の鍵盤部側空間Ｋ１とスピーカ側空間Ｋ２との間が仕切られて塞がれ、このスピーカ側空間Ｋ２が楽器ケース１内に音響空間として形成される。
【００８２】
この状態では、鍵盤部７が上方に開放されて複数の鍵９が上側に露呈するので、演奏が可能な状態になる。この状態で、楽器ケース１の前部側から上側に露呈した鍵盤部７の複数の鍵９を押鍵操作して演奏すると、その押鍵操作に応じた音高の楽音をスピーカ１０が発生する。
【００８３】
このスピーカ１０で発生した楽音のうち、高音側の音は、第１実施形態と同様、楽器ケース１の底板２に設けられた放音孔（図示せず）から楽器ケース１の下側に向けて放音される。また、低音側の音は、楽器ケース１のスピーカ側空間Ｋ２内に放音される。この低音側の音は、下部当接部５２ａと上部当接部５２ｂとの間が鍵盤蓋４０で塞がれて、スピーカ側空間Ｋ２が音響空間として形成されるので、このスピーカ側空間Ｋ２で音質が高められる。
【００８４】
また、スピーカ１０で発生した音の音質を変える場合には、第１規制部５２で位置規制された鍵盤蓋４０を鍵盤部７側に向けて移動させて、図６に示すように、鍵盤蓋４０の前側ガイド軸４２を第２規制部５３によって位置規制する。このときには、鍵盤蓋４０の前側ガイド軸４２が第１規制部５２の規制突起部５２ｃを乗り越えて、第２規制部５３の緩やかな傾斜部で位置規制される。
【００８５】
これにより、図６に示すように、鍵盤蓋４０の前側ガイド軸４２がガイドレール部４５の後端部から前側に移動して、鍵盤蓋４０の前側上面（図６では上側後面）が第１規制部５２の上部当接部５２ｂから前側に離れるので、鍵盤蓋４０の上側に放音路５４が形成される。この状態で、楽器ケース１の前部側から上側に露呈した鍵盤部７の複数の鍵９を押鍵操作して演奏すると、その押鍵操作に応じた音高の楽音をスピーカ１０が発生する。
【００８６】
このスピーカ１０で発生した楽音のうち、高音側の音は、楽器ケース１の下側に向けて放音される。また、低音側の音は、楽器ケース１のスピーカ側空間Ｋ２内に放音される。このスピーカ側空間Ｋ２内に放音された低音側の音は、放音路５４を通して楽器ケース１の前側に向けて放音されるので、音質がフラットな状態の音質に変化する。
【００８７】
すなわち、放音路５４は、鍵盤蓋４０と上部当接部５２ｂとの間に形成された隙間と、鍵盤蓋４０と天板６の下面との間に形成された隙間とによって、鍵盤蓋４０の上側に形成されているので、スピーカ側空間Ｋ２内の音を楽器ケース１内の上側から前側に向けて放音させる。これにより、音質がフラットな状態の音質に変化して楽器ケース１内から楽器ケース１の前側に放音される。
【００８８】
一方、演奏をないときには、鍵盤蓋４０を閉じて鍵盤部７を覆う。このときには、鍵盤蓋４０の前側ガイド軸４２を第１規制部５２の規制力に抗して楽器ケース１の前側に向けて引き出す。すると、前側ガイド軸４２が第１規制部５２を乗り越えた後、第２規制部５３の傾斜面を通過してガイドレール部４５に沿って移動し、鍵盤蓋４０の後側ガイド軸４７がガイド部材４６のガイド溝５０に沿って下側から上側に向けて移動すると共に、ピニオンギア４８がラックギア５１に噛み合って下側から上側に向けて移動しながら、鍵盤蓋４０が楽器ケース１の前側に向けて移動する。
【００８９】
そして、鍵盤蓋４０の前側ガイド軸４２が楽器ケース１の前板３上に位置するガイドレール部４５の前端部に位置し、鍵盤蓋４０の後側ガイド軸４７がガイド部材４６のガイド溝部５０の上端部に位置し、かつピニオンギア４８がラックギア５１の上端部に位置すると、鍵盤蓋４０が前下がりに傾斜した状態で平板状に配置される。これにより、鍵盤部７が鍵盤蓋４０によって覆われる。
【００９０】
このように、この電子鍵盤楽器においても、鍵盤蓋４０を鍵盤部７とスピーカ１０との間に配置した際に、第１規制部５２によって鍵盤蓋４０が位置規制されて鍵盤側空間Ｋ１とスピーカ側空間Ｋ２との間を仕切って塞ぐことができるので、スピーカ側空間Ｋ２を楽器ケース１内に音響空間として形成することができ、これによりスピーカ１０で発生してスピーカ側空間Ｋ２内に放音された音の音質を高めることができる。
【００９１】
また、この電子鍵盤楽器では、第１規制部５２によって鍵盤側空間Ｋ１とスピーカ側空間Ｋ２との間を仕切った状態の鍵盤蓋４０を鍵盤部７側に移動させた際に、第２規制部５３によって鍵盤蓋４０を位置規制して放音路５４を形成することができるので、この放音路５４を通してスピーカ側空間Ｋ２内に放音された音を楽器ケース１の前側に向けて放音させることができ、これにより音質をフラットな状態の音質に変えることができる。
【００９２】
このため、この電子鍵盤楽器においても、第１規制部５２と第２規制部５３とによって鍵盤蓋４０の規制位置を変えるだけで、スピーカ側空間Ｋ２を音響空間として形成して音質を高めることができ、かつ楽器ケース１内にスピーカ側空間Ｋ２の放音路５４を形成して、スピーカ側空間Ｋ２内の音を楽器ケース１から放音させることができるので、音質を選択的に変化させることができる。
【００９３】
この場合にも、第１規制部５２は、鍵盤蓋４０の後端部が上方から当接する下部規制部５２ａと、鍵盤蓋４０の前側上面である上側後面である上側後面が前側から当接する上部当接部５２ｂと、前側ガイド軸４２を位置規制する規制突起部５２ｃとを備えているので、第１規制部５２によって鍵盤蓋４０を位置規制することにより、鍵盤側空間Ｋ１とスピーカ側空間Ｋ２との間を鍵盤蓋４０で確実に仕切って塞ぐことができ、これにより楽器ケース１内にスピーカ側空間Ｋ２を音響空間として形成することができる。
【００９４】
また、第２規制部５３は、蓋ガイド部４１に設けられて、第１規制部５２で位置規制された鍵盤蓋４０を鍵盤部７側に移動させて、鍵盤蓋４０を上部当接部５２ｂから離間させた状態で、鍵盤蓋４０を位置規制して放音路５４を形成することにより、第２規制部５３によって鍵盤蓋４０を位置規制するだけで、楽器ケース１内にスピーカ側空間Ｋ２の放音路５４を確実にかつ良好に形成することができ、これにより簡単に音質を変えることができる。
【００９５】
さらに、この電子鍵盤楽器では、鍵盤蓋４０が１枚の平板で形成されていることにより、この鍵盤蓋４０で鍵盤部７を確実にかつ良好に覆うことができ、また鍵盤蓋４０を楽器ケース１内に収納する際に、鍵盤蓋４０を鍵盤部７とスピーカ１０との間に傾斜させた状態で起立させることにより、楽器ケース１内にコンパクトに収納することができるので、楽器ケース１全体をコンパクトに構成することができる。
【００９６】
この場合、蓋ガイド部４１は、鍵盤蓋４０が鍵盤部７の上側に配置された際に鍵盤蓋４０を前下がりに傾斜させた状態で平板状に配置させ、かつ鍵盤蓋４０が鍵盤部７を上側に開放した際に、鍵盤蓋４０を鍵盤部７とスピーカ１０との間に傾斜させて配置させることにより、鍵盤蓋４０を円滑にガイドすることができると共に、鍵盤蓋４０を鍵盤部７とスピーカ１０との間に確実に傾斜させて配置させることができ、これによりスピーカ側空間Ｋ２を楽器ケース１内に音響空間として良好に形成することができる。
【００９７】
すなわち、蓋ガイド部４１は、ガイドレール部４５とガイド部材４６とを有し、このガイドレール部４５は、一対の側板５の内面に前板３の上側から後板４に向けて斜め上方に傾斜して設けられて、鍵盤蓋４０の前側ガイド軸４２を前後方向にガイドし、ガイド部材４６は、鍵盤部７の後端部の上方から鍵盤部７の後部とスピーカ１０との間に位置する下部に向けて設けられたガイド板４９によって鍵盤蓋４０の後端部を上下方向にガイドする構成であるから、鍵盤蓋４０を円滑にガイドすることができる。
【００９８】
これにより、鍵盤蓋４０は、蓋ガイド部４１によってガイドされて、鍵盤部７とスピーカ１０との間に配置された際に、鍵盤蓋４０の後端部を上方から第１規制部５２の下部規制部５２ａに確実に当接させることができると共に、鍵盤蓋４０の前側上面である上側後面を第１規制部５２の上部当接部５２ｂに確実に当接させることができ、これにより下部規制部５２ａと上部当接部５２ｂとを確実に塞いで、鍵盤側空間Ｋ１とスピーカ側空間Ｋ２とを良好に仕切ることができるので、スピーカ側空間Ｋ２を楽器ケース１内に音響空間として確実にかつ良好に形成することができる。
【００９９】
また、この鍵盤蓋４０は、蓋ガイド部４１によってガイドされて、第１規制部５２で位置規制された鍵盤蓋４０を鍵盤部７側に移動させ、第２規制部５３によって鍵盤蓋４０が位置規制された際に、鍵盤蓋４０を第１規制部５２の上部当接部５２ｂから確実に離間させることができるので、鍵盤蓋４０の上側に放音路５４を確実に形成することができ、これにより放音路５４を通してスピーカ側空間Ｋ２内の音を楽器ケース１の前側に向けて確実にかつ良好に放音させることができる。
【０１００】
なお、上述した第１、第２の各実施形態では、スピーカ１０を楽器ケース１内に下向きで配置した場合について述べたが、これに限らず、楽器ケース１内にスピーカ１０を上向きに配置しても良く、また前向き、後向きに配置しても良い。
【０１０１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０２】
（付記）
請求項１に記載の発明は、前部側が上方に開放された楽器ケースと、この楽器ケース内に配置され、当該楽器ケースの前部上側に露呈された鍵盤部と、この鍵盤部の後方に位置し、前記楽器ケース内に配置されたスピーカと、前記鍵盤部を開閉可能に覆う鍵盤蓋と、前記鍵盤蓋が前記鍵盤部と前記スピーカとの間に配置された際に、前記楽器ケース内を鍵盤側空間とスピーカ側空間とに仕切る位置に前記鍵盤蓋を位置規制すると共に、当該鍵盤蓋と共にその両方の空間の間を塞ぐ位置に設けられた第１規制部と、前記第１規制部により位置規制された前記鍵盤蓋を前記鍵盤部側に移動させた際に、前記鍵盤部を上側に開放した状態でかつ前記両方の空間の間に放音路が形成される位置に、前記鍵盤蓋を位置規制する第２規制部と、を備えていることを特徴とする鍵盤楽器である。
【０１０３】
請求項２に記載の発明は、請求項１に記載の鍵盤楽器において、前記第１規制部は、前記鍵盤蓋が前記鍵盤部と前記スピーカとの間に配置された際に、前記鍵盤蓋の後端部が上方から当接する下部規制部と、前記鍵盤蓋の上側後面が前側から当接する上部当接部とを備えており、前記第２規制部は、前記第１規制部で位置規制された前記鍵盤蓋を前記鍵盤部側に移動させた際に、前記下部規制部に対する前記鍵盤蓋の後端部および前記上部当接部に対する前記鍵盤蓋の上側後面のうち、少なくとも一方を離間させた状態で、前記鍵盤蓋を位置規制して、前記放音路を形成することを特徴とする鍵盤楽器である。
【０１０４】
請求項３に記載の発明は、請求項１または請求項２に記載の鍵盤楽器において、前記鍵盤蓋が前記鍵盤部を上側に開放した際に、前記鍵盤蓋を前記鍵盤部と前記スピーカとの間に配置させるようにガイドする蓋ガイド部をさらに備え、前記鍵盤蓋は、複数の蓋部が折り曲げ可能に連結されていることを特徴とする鍵盤楽器である。
【０１０５】
請求項４に記載の発明は、請求項３に記載の鍵盤楽器において、前記蓋ガイド部は、前記鍵盤蓋が前記鍵盤部の上側に配置された際に前記複数の蓋部を平板状に配置させ、かつ前記鍵盤蓋が前記鍵盤部を上側に開放した際に、前記複数の蓋部を折り曲げ、この折り曲げられて後部側に位置する蓋部を前記鍵盤部と前記スピーカとの間に配置させることを特徴とする鍵盤楽器である。
【０１０６】
請求項５に記載の発明は、請求項１または請求項２に記載の鍵盤楽器において、前記鍵盤蓋は、１枚の平板で形成されていることを特徴とする鍵盤楽器である。
【０１０７】
請求項６に記載の発明は、請求項５に記載の鍵盤楽器において、前記鍵盤蓋が前記鍵盤部を上側に開放した際に、前記鍵盤蓋を前記鍵盤部と前記スピーカとの間に配置させるようにガイドする蓋ガイド部をさらに備え、前記蓋ガイド部は、前記鍵盤蓋の前部を前後方向にガイドするガイドレール部と、前記鍵盤蓋の後部を上下方向にガイドして前記鍵盤部と前記スピーカとの間にガイドするガイド部材とを備えていることを特徴とする鍵盤楽器である。
【符号の説明】
【０１０８】
１  楽器ケース
２  底板
５  側板
６  天板
７  鍵盤部
８  鍵盤シャーシ
９  鍵
１０  スピーカ
１３、４０  鍵盤蓋
１４、４１  蓋ガイド部
１５  前蓋
１５ａ  ガイド軸
１６  後蓋
１６ａ  ガイド軸
１７  蝶番
１８、４５  ガイドレール部
１９、４６  ガイド部材
２０  支持軸
２１  アーム部
２２  連結軸
３０、５２  第１規制部
３０ａ、５２ａ  下部当接部
３０ｂ、５２ｂ  上部当接部
３１  ５３  第２規制部
３２、３３  第１、第２の放音路
４２  前側ガイド軸
４７  後側ガイド軸
４９  ガイド板
５４  放音路
Ｋ１  鍵盤側空間
Ｋ２  スピーカ側空間
【図１】
2014163969.tif 000003
【図２】
2014163969.tif 000004
【図３】
2014163969.tif 000005
【図４】
2014163969.tif 000006
【図５】
2014163969.tif 000007
【図６】
2014163969.tif 000008